(57)【要約】【課題】利用者のニーズに合うデザインテンプレートを提供する。【解決手段】デザインを作成するための複数のデザインテンプレートがテンプレート記憶部に記憶されている。各デザインテンプレートには、デザインについての複数種類の特徴を示す複数のデザイン特徴値（例えばデザイン特徴値Ｘ，Ｙ）が対応付けられている。各デザインテンプレートは、複数のデザイン特徴値によって規定されるデザイン特徴マップ上において、複数のデザイン特徴値に従って配置されている。参照履歴管理部は、複数のデザインテンプレートに対する利用者の参照履歴を管理する。推奨テンプレート提供部は、デザイン特徴マップにおいて、利用者によって参照された複数のデザインテンプレートＡ，Ｂ，Ｃによって囲まれた領域３００内に配置されたデザインテンプレートαを推奨デザインテンプレートとして出力する。【選択図】図４
2015225398.tif 000002
【特許請求の範囲】
【請求項１】
デザインについての複数種類の特徴を示す複数のデザイン特徴情報が対応付けられた複数のデザインテンプレートに対する利用者の参照履歴を管理する管理手段と、
前記参照履歴に基づき、利用者によって参照された複数のデザインテンプレートに対応付けられた複数のデザイン特徴情報が示す複数の特徴の間の特徴を有するデザインテンプレートを推奨デザインテンプレートとして出力する出力手段と、
を有するデザイン管理装置。
【請求項２】
前記出力手段は、前記複数のデザイン特徴情報に従って各デザインテンプレートがマッピングされたデザイン特徴マップにおいて、利用者によって参照された複数のデザインテンプレートによって囲まれた領域内に配置されたデザインテンプレートを前記推奨デザインテンプレートとして出力する、
ことを特徴とする請求項１に記載のデザイン管理装置。
【請求項３】
前記出力手段は、前記デザイン特徴マップにおいて、利用者によって参照された複数のデザインテンプレートによって囲まれた領域の大きさが基準値以下の場合、前記領域内に配置されたデザインテンプレートを前記推奨デザインテンプレートとして出力する、
ことを特徴とする請求項２に記載のデザイン管理装置。
【請求項４】
前記出力手段は、前記デザイン特徴マップにおいて、利用者によって参照された複数のデザインテンプレートによって囲まれた領域の中心又は重心に配置されたデザインテンプレートを前記推奨デザインテンプレートとして出力する、
ことを特徴とする請求項２又は請求項３に記載のデザイン管理装置。
【請求項５】
前記出力手段は、前記デザイン特徴マップにおいて、利用者によって参照された複数のデザインテンプレートによって囲まれた領域内に配置されたデザインテンプレートであって、利用者によって参照された複数のデザインテンプレートからの距離の総和が最小となる位置に配置されたデザインテンプレートを、前記推奨デザインテンプレートとして出力する、
ことを特徴とする請求項２又は請求項３に記載のデザイン管理装置。
【請求項６】
前記推奨デザインテンプレートに対応するデザインテンプレートが存在しない場合、利用者によって参照された複数のデザインテンプレートのデザイン特徴情報に基づいて、前記推奨デザインテンプレートのデザインの特徴を示すデザイン特徴情報を演算し、その演算されたデザイン特徴情報を出力するデザイン特徴情報出力手段を更に有する、
ことを特徴とする請求項１から請求項５のいずれか一項に記載のデザイン管理装置。
【請求項７】
コンピュータを、
デザインについての複数種類の特徴を示す複数のデザイン特徴情報が対応付けられた複数のデザインテンプレートに対する利用者の参照履歴を管理する管理手段と、
前記参照履歴に基づき、利用者によって参照された複数のデザインテンプレートに対応付けられた複数のデザイン特徴情報が示す複数の特徴の間の特徴を有するデザインテンプレートを推奨デザインテンプレートとして出力する出力手段と、
として機能させるプログラム。
【発明の詳細な説明】
【技術分野】
【０００１】
本発明は、デザイン管理装置及びプログラムに関する。
【背景技術】
【０００２】
チラシ、広告、ダイレクトメール（ＤＭ）、ポスター、カタログ、はがき等についてのデザインを作成するための技術が知られている。
【０００３】
特許文献１に記載された装置では、製作者にコンテンツデザインの最終イメージに関する情報を入力させ、その情報からコンテンツデザインの候補を算出して提示している。
【０００４】
特許文献２に記載された装置では、作成済みのパターンデータが記憶されており、このパターンデータを読み出して利用することにより新たなレイアウトデータを作成している。
【０００５】
特許文献３に記載された装置では、デザインの特徴要素に基づいてグラフィックデザインが複数のカテゴリーに分類されており、各カテゴリーに対してテンプレートデータが用意されている。
【先行技術文献】
【特許文献】
【０００６】
【特許文献１】特開２０００−６７２５６号公報
【特許文献２】特開平７−９８７０４号公報
【特許文献３】特開２００６−１１９７４０号公報
【発明の概要】
【発明が解決しようとする課題】
【０００７】
ところで、デザイン編集においては、デザインが異なる複数種類のデザインテンプレートを予め用意しておき、利用者がデザインテンプレートを選択して編集することによりデザインを作成する場合がある。デザインテンプレートの数が多ければ良いというものではなく、利用者のニーズに合うデザインテンプレートを用意しておく必要がある。しかし、デザインテンプレートの提供者は、どのようなデザインにニーズがあるのか必ずしも認識しているわけではなく、利用者のニーズに合うデザインテンプレートを提供することが困難な場合がある。
【０００８】
本発明の目的は、利用者のニーズに合うデザインテンプレートを提供することである。
【課題を解決するための手段】
【０００９】
請求項１に係る発明は、デザインについての複数種類の特徴を示す複数のデザイン特徴情報が対応付けられた複数のデザインテンプレートに対する利用者の参照履歴を管理する管理手段と、前記参照履歴に基づき、利用者によって参照された複数のデザインテンプレートに対応付けられた複数のデザイン特徴情報が示す複数の特徴の間の特徴を有するデザインテンプレートを推奨デザインテンプレートとして出力する出力手段と、を有するデザイン管理装置である。
【００１０】
請求項２に係る発明は、前記出力手段は、前記複数のデザイン特徴情報に従って各デザインテンプレートがマッピングされたデザイン特徴マップにおいて、利用者によって参照された複数のデザインテンプレートによって囲まれた領域内に配置されたデザインテンプレートを前記推奨デザインテンプレートとして出力する、ことを特徴とする請求項１に記載のデザイン管理装置である。
【００１１】
請求項３に係る発明は、前記出力手段は、前記デザイン特徴マップにおいて、利用者によって参照された複数のデザインテンプレートによって囲まれた領域の大きさが基準値以下の場合、前記領域内に配置されたデザインテンプレートを前記推奨デザインテンプレートとして出力する、ことを特徴とする請求項２に記載のデザイン管理装置である。
【００１２】
請求項４に係る発明は、前記出力手段は、前記デザイン特徴マップにおいて、利用者によって参照された複数のデザインテンプレートによって囲まれた領域の中心又は重心に配置されたデザインテンプレートを前記推奨デザインテンプレートとして出力する、ことを特徴とする請求項２又は請求項３に記載のデザイン管理装置である。
【００１３】
請求項５に係る発明は、前記出力手段は、前記デザイン特徴マップにおいて、利用者によって参照された複数のデザインテンプレートによって囲まれた領域内に配置されたデザインテンプレートであって、利用者によって参照された複数のデザインテンプレートからの距離の総和が最小となる位置に配置されたデザインテンプレートを、前記推奨デザインテンプレートとして出力する、ことを特徴とする請求項２又は請求項３に記載のデザイン管理装置である。
【００１４】
請求項６に係る発明は、前記推奨デザインテンプレートに対応するデザインテンプレートが存在しない場合、利用者によって参照された複数のデザインテンプレートのデザイン特徴情報に基づいて、前記推奨デザインテンプレートのデザインの特徴を示すデザイン特徴情報を演算し、その演算されたデザイン特徴情報を出力するデザイン特徴情報出力手段を更に有する、ことを特徴とする請求項１から請求項５のいずれか一項に記載のデザイン管理装置である。
【００１５】
請求項７に係る発明は、コンピュータを、デザインについての複数種類の特徴を示す複数のデザイン特徴情報が対応付けられた複数のデザインテンプレートに対する利用者の参照履歴を管理する管理手段と、前記参照履歴に基づき、利用者によって参照された複数のデザインテンプレートに対応付けられた複数のデザイン特徴情報が示す複数の特徴の間の特徴を有するデザインテンプレートを推奨デザインテンプレートとして出力する出力手段と、として機能させるプログラムである。
【発明の効果】
【００１６】
請求項１，７に係る発明によると、利用者のニーズに合うデザインテンプレートを提供することが可能となる。
【００１７】
請求項２に係る発明によると、利用者によって参照されたデザインテンプレートとデザインの傾向が同じ又は近いデザインテンプレートを、推奨デザインテンプレートとして提供することが可能となる。
【００１８】
請求項３に係る発明によると、領域の大きさにかかわらず推奨デザインテンプレートを出力する場合と比べて、デザインテンプレートを利用対象として選択する上で、利用者の参照傾向に沿ったデザインテンプレートを提供することが可能となる。
【００１９】
請求項４に係る発明によると、利用者によって参照された複数のデザインテンプレートを基準にして、平均的なデザインの特徴を有するデザインテンプレートを提供することが可能となる。
【００２０】
請求項５に係る発明によると、利用者によって参照されたデザインテンプレートからの距離にかかわらず推奨デザインテンプレートを出力する場合と比べて、利用者のニーズに近いデザインテンプレートを提供することが可能となる。
【００２１】
請求項６に係る発明によると、利用者のニーズに合うデザインテンプレートを作成するための参考情報を提供することが可能となる。
【図面の簡単な説明】
【００２２】
【図１】本発明の実施形態に係るデザイン管理装置を示すブロック図である。
【図２】複数のデザインテンプレートが表示された画面を示す図である。
【図３】デザインテンプレートについての属性情報テーブルを示す図である。
【図４】デザイン属性マップを示す図である。
【図５】参照履歴テーブルを示す図である。
【図６】デザイン属性マップを示す図である。
【図７】推奨デザインテンプレートが表示された画面を示す図である。
【発明を実施するための形態】
【００２３】
図１に、本発明の実施形態に係るデザイン管理システムの一例を示す。本実施形態に係るデザイン管理システムは、一例として、デザイン管理装置１０、提供者用端末装置１００及び利用者用端末装置２００を含む。本実施形態に係るデザイン管理装置１０は、例えば、ネットワーク等の通信経路Ｎを介して、提供者用端末装置１００及び利用者用端末装置２００に接続される。
【００２４】
図１に示す例では、１つの提供者用端末装置１００及び１つの利用者用端末装置２００が通信経路Ｎを介してデザイン管理装置１０に接続されているが、複数の提供者用端末装置１００及び複数の利用者用端末装置２００が通信経路Ｎを介してデザイン管理装置１０に接続されてもよい。
【００２５】
デザイン管理装置１０は、デザインを作成するためのデザインテンプレート（デザインテンプレートデータ）を記憶しており、利用者の要求に応じてデザインテンプレートを提供する機能を備えている。デザイン管理装置１０は、提供者用端末装置１００及び利用者用端末装置２００との間でデータの送受信を行う機能を備えている。
【００２６】
提供者用端末装置１００は、デザインテンプレートを提供する提供者によって使用される端末装置である。提供者用端末装置１００は、デザイン管理装置１０との間でデータの送受信を行う機能を備えている。デザインテンプレートは提供者によって作成され、提供者用端末装置１００からデザイン管理装置１０に送信されてデザイン管理装置１０に記憶される。
【００２７】
利用者用端末装置２００は、デザインテンプレートを編集してデザインを作成する利用者によって使用される端末装置である。利用者用端末装置２００は、デザイン管理装置１０との間でデータの送受信を行う機能を備えている。デザインテンプレートがデザイン管理装置１０から利用者用端末装置２００に送信され、利用者用端末装置２００の表示部に表示される。そして、利用者によってデザインテンプレートが編集される。
【００２８】
提供者用端末装置１００及び利用者用端末装置２００は、例えば、パーソナルコンピュータ、タブレットＰＣ、スマートフォン又は携帯電話等の装置であり、キーボードやマウス等の操作部、ディスプレイとして機能する表示部、ネットワークインターフェースとして機能する送受信部、及び、ＣＰＵを含む制御部を備えている。
【００２９】
本実施形態に係るデザイン管理システムでは、一例として、提供者用端末装置１００からデザイン管理装置１０にデザインテンプレートが送信され、デザイン管理装置１０にデザインテンプレートが登録される。そして、利用者の要求に応じて、デザインテンプレートがデザイン管理装置１０から利用者用端末装置２００に送信される。利用者用端末装置２００では、利用者の操作によってデザインテンプレートが編集されてデザイン部品が作成される。
【００３０】
なお、提供者用端末装置１００及び利用者用端末装置２００は、デザイン管理装置１０に組み込まれていてもよい。
【００３１】
以下、デザイン管理装置１０について説明する。デザイン管理装置１０は、デザイン管理部２０と送受信部４０とを含む。
【００３２】
デザイン管理部２０は、複数種類のデザインテンプレートを記憶し、利用者の要求に応じてデザインテンプレートを提供する機能を備えている。
【００３３】
送受信部４０はネットワークインターフェースである。送受信部４０は、提供者用端末装置１００及び利用者用端末装置２００との間で、データの送受信を行う機能を備えている。例えば、送受信部４０は、通信経路Ｎを介して提供者用端末装置１００からデザインテンプレートを受信し、そのデザインテンプレートをデザイン管理部２０に出力する。また、送受信部４０は、通信経路Ｎを介して利用者用端末装置２００にデザインテンプレートを送信する。
【００３４】
以下、デザイン管理部２０の各部について説明する。
【００３５】
テンプレート記憶部２２には、デザインが異なる複数種類のデザインテンプレートの実データ（デザインテンプレートデータ）が記憶されている。デザインテンプレートは、例えば、チラシ、広告、ダイレクトメール（ＤＭ）、ポスター、カタログ、はがき等についてのデザインの雛型のデータである。
【００３６】
デザインテンプレートは、一例として、１又は複数のデザイン部品（デザイン部品データ、オブジェクト）によって構成されている。デザイン部品としては、例えば、表題（タイトル）の文字部品、本文の文字部品、画像部品及び図形部品等がある。画像部品は、例えば、ビットマップ形式の画像データである。図形部品は、例えば、ベクター形式で表された図形データである。デザインテンプレートは、画像データ、図形データ、テキストデータ、各データのサイズ情報及び各データの配置情報等を含むデータである。
【００３７】
デザインテンプレートの編集時には、利用者が利用者用端末装置２００を使用することにより、個々のデザイン部品の内容が編集される。なお、編集には、デザイン部品の内容の加工及び変更が含まれる。例えば、表題の文字部品や本文の文字部品について、文字列、フォントの種類、フォントサイズ、文字の色、文字の配置位置等が、利用者によって編集される。画像部品については、画像のデザイン、画像の種類、画像の大きさ、画像の配置位置等が、利用者によって編集される。図形部品については、図形の色、図形の透明度（影の度合い）、図形の大きさ、図形の配置位置等が、利用者によって編集される。このようにデザイン部品が編集されることにより、デザインテンプレートのデザインが編集されて新たなデザイン部品が作成される。すなわち、本実施形態に係るシステムでは、デザインテンプレートを基礎にして利用者によって新たなデザイン部品が作成されるようになっている。
【００３８】
個々のデザインテンプレートにはテンプレート属性情報が予め対応付けられている。テンプレート属性情報には、例えば、テンプレート識別情報、作成日時情報、登録日時情報、アクセス権限情報及び複数のデザイン特徴値が含まれる。
【００３９】
テンプレート識別情報は、デザインテンプレートを識別するための情報であり、一例としてＩＤやデザイン名称等の情報である。作成日時情報は、デザインテンプレートが作成された日時を示す情報である。登録日時情報は、デザインテンプレートがデザイン管理装置１０に登録された日時を示す情報である。アクセス権限情報は、例えば、デザインテンプレートの利用が許可された利用者を識別するための情報である。
【００４０】
デザイン特徴値は、デザインテンプレートのデザインの特徴を示す値（デザイン評価値）である。複数種類の特徴を示す複数のデザイン特徴値が、個々のデザインテンプレートの属性情報に含まれている。デザイン特徴値は予め定められた値であり、例えば、デザインテンプレートの提供者によって決定された値である。例えば、デザインの色合い（明るさの程度や暗さの程度）が数値化された値、デザイン中に使用されている最大文字の大きさが数値化された値、デザインに含まれる色の組み合わせによる印象度が数値化された値、デザイン中の色調の構成比が数値化された値、及び、デザイン中に使用されているフォントの種類が数値化された値等が、デザイン特徴値に該当する。デザイン特徴値はこれらの例に限られず、デザインテンプレートのデザインの特徴を表す他の情報が、デザイン特徴値として用いられてもよい。
【００４１】
テンプレート識別情報、作成日時情報、アクセス権限情報及びデザイン特徴値は、例えば提供者用端末装置１００にて作成され、デザインテンプレートと共に提供者用端末装置１００からデザイン管理装置１０に送信される。登録日時情報は、例えばデザイン管理部２０によって作成される。
【００４２】
テンプレート登録部２４は、提供者用端末装置１００から送信されたデザインテンプレート及びテンプレート属性情報を受け、デザインテンプレートとテンプレート属性情報とを対応付けてテンプレート記憶部２２に記憶させる。
【００４３】
特徴マップ作成部２６は、各デザインテンプレートのテンプレート属性情報に含まれる複数のデザイン特徴値に基づいて、各デザインテンプレートがマッピングされたデザイン特徴マップを作成する。デザイン特徴マップは、２軸以上の軸で規定されるマップである。一例として、デザイン特徴マップは、第１の軸がデザインの「色合い」で規定され、第２の軸がデザインの「印象度」で規定された、２次元マップである。特徴マップ作成部２６は、２次元のデザイン特徴マップ上において、デザイン特徴値に対応する位置（座標）に当該デザイン特徴値を有するデザインテンプレートを配置する。デザイン特徴マップは、テンプレート記憶部２２に記憶される。デザイン特徴マップについては後で詳述する。
【００４４】
表示制御部２８は、テンプレート記憶部２２に記憶されているデザインテンプレートを、利用者用端末装置２００にて表示するための制御を行う。例えば、表示制御部２８は、複数のデザインテンプレートのサムネイル画像（縮小画像）を利用者用端末装置２００に表示させる機能、利用者によって指定されたデザインテンプレートを利用者用端末装置２００に表示させる機能、及び、利用者によって指定された複数のデザインテンプレートを並べて利用者用端末装置２００に表示させる機能等を備えている。具体的には、表示制御部２８は、表示対象のデザインテンプレートやサムネイル画像と表示用の情報とを、送受信部４０によって利用者用端末装置２００に送信する。利用者用端末装置２００では、表示用の情報に従い、表示対象のデザインテンプレートやサムネイル画像が表示部に表示される。なお、デザインテンプレートのサムネイル画像は予め作成されてテンプレート記憶部２２に記憶されていてもよいし、サムネイル画像を表示するときに、表示制御部２８がデザインテンプレートからサムネイル画像を作成してもよい。
【００４５】
表示制御部２８は、表示対象のデザインテンプレートのテンプレート属性情報を送受信部４０によって利用者用端末装置２００に送信し、テンプレート属性情報を利用者用端末装置２００に表示させる機能を備えていてもよい。
【００４６】
また、表示制御部２８は、デザインテンプレートを検索し、検索されたデザインテンプレートを利用者用端末装置２００に表示させる機能を備えていてもよい。例えば、利用者用端末装置２００にて検索用のキーワードが入力されて検索が指示されると、検索用のキーワードと検索指示を示す情報とが、利用者用端末装置２００からデザイン管理装置１０に送信される。表示制御部２８は、当該検索用のキーワードに合致するデザインテンプレートをテンプレート記憶部２２から取得し、送受信部４０によって当該デザインテンプレートを利用者用端末装置２００に送信する。利用者用端末装置２００では、検索されたデザインテンプレートが表示部に表示される。なお、表示制御部２８は、検索されたデザインテンプレートのサムネイル画像を利用者用端末装置２００に表示させてもよい。
【００４７】
参照履歴管理部３０は、デザインテンプレートに対する利用者の参照履歴を管理し、参照履歴を示す参照履歴情報を参照履歴記憶部３２に記憶させる。参照履歴情報には、例えば、利用者を識別するための利用者識別情報、利用者の職業を示す利用者属性情報、操作開始日時を示す情報、操作終了日時を示す情報、利用者によって参照されたデザインテンプレートのテンプレート識別情報、その参照の順番を示す情報、及び、最終的に利用対象（編集対象）として利用者によって選択されたデザインテンプレートのテンプレート識別情報等が含まれる。例えば、利用者によるデザインテンプレートの参照は、利用者用端末装置２００にて行われる。この場合、利用者識別情報、利用者属性情報、利用者によって参照されたデザインテンプレートのテンプレート識別情報、及び、利用対象のデザインテンプレートのテンプレート識別情報が、利用者用端末装置２００からデザイン管理装置１０に送信され、参照履歴管理部３０は、それらの情報を参照履歴情報に含めて管理する。
【００４８】
推奨テンプレート提供部３４は、デザインテンプレートの参照履歴に基づき、利用者によって参照された複数のデザインテンプレートに対応付けられた複数のデザイン特徴値の間のデザイン特徴値を有するデザインテンプレートを、推奨デザインテンプレートとしてテンプレート記憶部２２から取得し、その推奨デザインテンプレートを利用者用端末装置２００に提供する。推奨デザインテンプレートは、送受信部４０によって利用者用端末装置２００に送信される。例えば、推奨テンプレート提供部３４は、デザイン特徴マップにおいて、利用者によって参照された複数のデザインテンプレートの間に配置されたデザインテンプレートを、推奨デザインテンプレートとしてテンプレート記憶部２２から取得し、その推奨デザインテンプレートを利用者用端末装置２００に提供する。推奨テンプレート提供部３４の具体的な処理については後で詳述する。
【００４９】
不足テンプレート提供部３６は、上記の推奨デザインテンプレートに対応するデザインテンプレートがテンプレート記憶部２２に記憶されていない場合に、当該推奨デザインテンプレートのデザインの特徴を示すデザイン特徴値を提供者用端末装置１００に提供する。デザイン特徴値は、送受信部４０によって提供者用端末装置１００に送信される。例えば、不足テンプレート提供部３６は、利用者によって参照された複数のデザインテンプレートのデザイン特徴値に基づいて、推奨デザインテンプレートのデザイン特徴値を演算し、そのデザイン特徴値を提供者用端末装置１００に提供する。具体的な演算方法については後で詳述する。
【００５０】
また、不足テンプレート提供部３６は、推奨デザインテンプレートがテンプレート記憶部２２に記憶されていない旨を提供者用端末装置１００に提供してもよい。この場合、推奨デザインテンプレートがテンプレート記憶部２２に記憶されていない旨を示す情報が、送受信部４０によって提供者用端末装置１００に送信され、提供者用端末装置１００の表示部に表示される。
【００５１】
なお、デザイン管理装置１０は、デザインテンプレートの編集機能を備えていてもよい。この場合、デザイン管理装置１０は、利用者用端末装置２００からの編集指示に応じて、利用者によって指定されたデザインテンプレートを編集する。
【００５２】
上述したデザイン管理装置１０は、一例としてハードウェア資源とソフトウェアとの協働により実現される。具体的には、デザイン管理装置１０は、図示しないＣＰＵ等のプロセッサを備えている。当該プロセッサが、図示しない記憶装置に記憶されたプログラムを読み出して実行することにより、デザイン管理部２０の機能が実現される。上記プログラムは、ＣＤやＤＶＤ等の記憶媒体を経由して、又は、ネットワーク等の通信経路を経由して、記憶装置に記憶される。または、デザイン管理装置１０は、ＡＳＩＣ等のハードウェア資源により実現されてもよい。
【００５３】
図２に、デザインテンプレートの表示例を示す。例えば、利用者用端末装置２００を使用して利用者がデザイン管理装置１０にログインすると、表示制御部２８は、複数のデザインテンプレートのサムネイル画像を利用者用端末装置２００の表示部に表示させる。一例として、利用者用端末装置２００の表示部の画面２１０には、デザインテンプレート２２０〜２３１のサムネイル画像が表示される。
【００５４】
例えば、利用者が利用者用端末装置２００の操作部を使用してデザインテンプレート２２０〜２３１の中から特定のデザインテンプレートを指定し、表示指示を与えると、指定されたデザインテンプレートのテンプレート識別情報と表示指示を示す情報とが、利用者用端末装置２００からデザイン管理装置１０に送信される。表示制御部２８は、その表示指示に従って、指定されたデザインテンプレートを利用者用端末装置２００の表示部に拡大して表示させる。このとき、表示制御部２８は、指定されたデザインテンプレートのテンプレート属性情報も、利用者用端末装置２００の表示部に表示させてもよい。例えば、デザインテンプレート２２０のサムネイル画像が利用者によって指定されると、デザインテンプレート２２０が利用者用端末装置２００の表示部に拡大して表示される。このとき、デザインテンプレート２２０と共に、デザインテンプレート２２０のテンプレート属性情報も、利用者用端末装置２００の表示部に表示されてもよい。
【００５５】
また、利用者が利用者用端末装置２００の操作部を使用して複数のデザインテンプレートを指定し、整列表示の指示を与えると、指定された複数のデザインテンプレートのテンプレート識別情報と整列表示の指示を示す情報とが、利用者用端末装置２００からデザイン管理装置１０に送信される。表示制御部２８は、その整列表示の指示に従って、指定された複数のデザインテンプレートを利用者用端末装置２００の表示部に並べて表示させる。このとき、表示制御部２８は、指定された複数のデザインテンプレートのテンプレート属性情報も、利用者用端末装置２００の表示部に表示させてもよい。例えば、デザインテンプレート２２０，２２１のそれぞれのサムネイル画像が利用者によって指定されると、デザインテンプレート２２０，２２１が利用者用端末装置２００の表示部に並べて表示される。このとき、デザインテンプレート２２０，２２１と共に、デザインテンプレート２２０，２２１のテンプレート属性情報も、利用者用端末装置２００の表示部に表示されてもよい。
【００５６】
また、利用者が利用者用端末装置２００の操作部を使用して利用対象のデザインテンプレートを選択し、編集の指示を与えると、利用対象のデザインテンプレートが利用者用端末装置２００の表示部に表示され、編集が許可された状態となる。そして、利用者が利用者用端末装置２００の操作部を使用して利用対象のデザインテンプレートを編集することにより、そのデザインテンプレートを基礎とした新たなデザインが作成されることになる。以上のように、本実施形態に係るデザイン管理システムでは、利用対象のデザインテンプレートを選択する上で、各デザインテンプレートが利用者によって参照されるようになっており、その参照の結果、利用対象のデザインテンプレートが利用者によって選択されるようになっている。
【００５７】
本実施形態において、デザインテンプレートの参照とは、例えば、デザインテンプレートの拡大表示や整列表示のことである。例えば、複数のサムネイル画像の中から指定されて拡大表示されたデザインテンプレートが、利用者によって参照されたデザインテンプレートに該当する。また、複数のサムネイル画像の中から指定されて整列表示された複数のデザインテンプレートが、利用者によって参照されたデザインテンプレートに該当する。参照履歴管理部３０は、デザインテンプレートに対する利用者の参照の履歴を管理する。
【００５８】
図３に、テンプレート属性情報を管理するための属性情報テーブルの一例を示す。この属性情報テーブルは、テンプレート記憶部２２に記憶されている。一例として、ＩＤ、テンプレート名、作成日、デザイン特徴値Ｘ及びデザイン特徴値Ｙが、関連付けられている。ＩＤは、個々のデザインテンプレートを識別するためのテンプレート識別情報である。テンプレート名は、デザインテンプレートの名称である。作成日は、デザインテンプレートが作成された日である。デザイン特徴値Ｘは、デザインテンプレートのデザインの色合い（明るさの程度）を示す値である。デザイン特徴値Ｙは、デザインテンプレートの印象度（例えば、色の組み合わせによる印象度）を示す値である。なお、デザイン特徴値Ｘ，Ｙは一例であり、色合いや印象度以外のパラメータをデザイン特徴値として使用してもよい。また、３つ以上のデザイン特徴値によって、デザインテンプレートのデザインの特徴を規定してもよい。
【００５９】
図４に、デザイン特徴マップの一例を示す。図４に示されているデザイン特徴マップは、上記のデザイン特徴値Ｘ，Ｙによって規定された２次元のマップである。デザイン特徴値Ｘ（明るさ）がデザイン特徴マップのＸ軸を規定し、デザイン特徴値Ｙ（印象度）がデザイン特徴マップのＹ軸を規定している。この２次元のデザイン特徴マップ上において、各デザインテンプレートのデザイン特徴値Ｘ，Ｙに対応する位置（座標）に各デザインテンプレートが配置されている。図４に示す例では、デザインテンプレートＡ〜Ｆ，αが、デザイン特徴マップ上に配置されている。デザイン特徴マップにおいて、右側の位置ほど、明るい色合いのデザインテンプレートが配置されており、左側の位置ほど、暗い色合いのデザインテンプレートが配置されている。また、デザイン特徴マップにおいて、上側の位置ほど、印象度が高いデザインテンプレートが配置されており、下側の位置ほど、印象度が低いデザインテンプレートが配置されている。例えば、デザインテンプレートＡ，Ｆを比較すると、デザインテンプレートＡの明るさはデザインテンプレートＦの明るさよりも明るくなっており、デザインテンプレートＡの印象度はデザインテンプレートＦの印象度よりも高くなっている。
【００６０】
図５に、参照履歴を管理するための参照履歴テーブルの一例を示す。この参照履歴テーブルは、参照履歴記憶部３２に記憶されている。一例として、操作ＩＤ、利用者氏名、利用者属性、操作開始日時、操作終了日時、参照順番及び利用対象テンプレートが、関連付けられている。
【００６１】
操作ＩＤは、履歴を管理するためのＩＤであり、参照履歴管理部３０によって与えられる。利用者氏名は、利用者用端末装置２００を使用してデザインテンプレートを参照した利用者の氏名である。利用者属性は、例えば利用者の職業である。例えば、利用者が利用者用端末装置２００にて利用者氏名及び利用者属性を入力してデザイン管理装置１０にログインすると、利用者氏名及び利用者属性を示す情報が利用者用端末装置２００からデザイン管理装置１０に送信され、参照履歴管理部３０によって管理される。なお、利用者属性は参照履歴として管理されなくてもよい。操作開始日時は、利用者がデザイン管理装置１０にログインした日時である。操作終了日時は、利用者がデザイン管理装置１０からログオフした日時である。操作開始日時及び操作終了日時は、参照履歴管理部３０によって記録される。
【００６２】
参照順番は、利用者が利用者用端末装置２００を使用してデザインテンプレートを参照した順番である。参照順番の項目には、利用者によって参照されたデザインテンプレートのテンプレート識別情報（例えばＩＤ）と、その参照の順番とが含まれる。この参照順番は、参照履歴管理部３０によって記録される。
【００６３】
利用対象テンプレートは、利用対象のデザインテンプレートとして利用者によって選択されたデザインテンプレートである。利用対象テンプレートの項目には、その選択されたデザインテンプレートのテンプレート識別情報（例えばＩＤ）が含まれる。この利用対象テンプレートは、参照履歴管理部３０によって記録される。
【００６４】
具体例として、操作ＩＤが「１」の参照履歴について説明する。操作ＩＤが「１」の参照履歴では、利用者の氏名は「富士太郎」であり、その利用者の属性（職業）は「小売業」である。操作開始日時（ログイン日時）は「２０１３年６月１９日の１５時１２分」であり、操作終了日時（ログオフ日時）は「２０１３年６月１９日の１５時３０分」である。この利用者によって参照されたデザインテンプレートのテンプレート識別情報（ＩＤ）は、「０」、「２」、「１５」、「１２」、・・・である。また、そのテンプレート識別情報（ＩＤ）の順番で、デザインテンプレートが利用者によって参照されている。そして、テンプレート識別情報（ＩＤ）が「１２」のデザインテンプレートが、利用対象のデザインテンプレートとして選択されている。
【００６５】
別の具体例として、操作ＩＤが「２」及び「３」の参照履歴では、利用対象テンプレートが記録されていない。これは、利用者によってデザインテンプレートが参照された結果、利用対象のデザインテンプレートが最終的に選択されなかったことを示している。この参照履歴を参照することにより、どのようなデザインテンプレートがどのような順番で参照されたのかが特定され、その参照の結果、利用対象のデザインテンプレートが選択されたか否かが特定される。
【００６６】
次に、図４を参照して、推奨テンプレート提供部３４及び不足テンプレート提供部３６の具体的な処理について説明する。例えば、デザインテンプレートＡ，Ｂ，Ｃが、その順番で利用者によって参照され、最終的に利用対象（編集対象）のデザインテンプレートが利用者によって選択されなかったものとする。なお、利用者によって参照されたデザインテンプレート及び参照された順番は、上述したように、参照履歴として管理されている。
【００６７】
推奨テンプレート提供部３４は、参照履歴テーブルが示す参照履歴に基づき、デザイン特徴マップにおいて、利用者によって参照された複数のデザインテンプレートによって囲まれた領域内に配置されたデザインテンプレートを、推奨デザインテンプレートとしてテンプレート記憶部２２から取得する。例えば、デザインテンプレートＡ，Ｂ，Ｃが利用者によって参照された場合、推奨テンプレート提供部３４は、デザイン特徴マップにおいて、デザインテンプレートＡ，Ｂ，Ｃを結ぶことで形成される領域３００内に配置されたデザインテンプレートαを、推奨デザインテンプレートとしてテンプレート記憶部２２から取得する。このとき、デザインテンプレートＡ，Ｂ，Ｃを直線で結んで領域３００を形成してもよいし、デザインテンプレートＡ，Ｂ，Ｃを曲線で結んで領域３００を形成してもよい。または、参照された順番に従ってデザインテンプレートＡ，Ｂ，Ｃを直線又は曲線で結んで領域３００を形成してもよい。つまり、デザインテンプレートＡ，Ｂを結び、デザインテンプレートＢ，Ｃを結び、デザインテンプレートＣ，Ａを結ぶことにより領域３００を形成してもよい。図４に示す例では、一例として、デザインテンプレートＡ，Ｂ，Ｃを通る曲線（例えば円）によって領域３００が形成されている。領域３００内に複数のデザインテンプレートが配置されている場合、推奨テンプレート提供部３４は、それら複数のデザインテンプレートを推奨デザインテンプレートとしてテンプレート記憶部２２から取得する。そして、推奨デザインテンプレート（例えばデザインテンプレートα）は、送受信部４０によって利用者用端末装置２００に送信され、利用者用端末装置２００の表示部に表示される。
【００６８】
上記の例では、デザインテンプレートＡ，Ｂ，Ｃが利用者によって参照されて興味が示されたにもかかわらず、いずれのデザインテンプレートも利用対象（編集対象）として選択されなかったことになる。このような場合、領域３００内に配置されているデザインテンプレートαが、領域３００の外側に配置されている他のデザインテンプレート（例えばデザインテンプレートＤ，Ｅ，Ｆ）よりも、利用者のニーズに合うデザインテンプレートである可能性が高いと推測される。つまり、デザインテンプレートαは、利用者によって参照されたデザインテンプレートＡ，Ｂ，Ｃのそれぞれのデザイン特徴値Ｘ，Ｙに近い又は同じ傾向のデザイン特徴値Ｘ，Ｙを有しているため、そのデザインテンプレートαが、利用者のニーズに合うデザインテンプレートである可能性が高いと推測される。それ故、デザインテンプレートαを推奨デザインテンプレートとして利用者用端末装置２００に提供する。これにより、利用者のニーズに合致すると推測されるデザインテンプレートが利用者に提供される。
【００６９】
一方、領域３００内にデザインテンプレートが存在しない場合、つまり、領域３００内に配置されたデザインテンプレートがテンプレート記憶部２２に記憶されていない場合、不足テンプレート提供部３６は、デザインテンプレートＡ，Ｂ，Ｃのデザイン特徴値Ｘ，Ｙに基づいて、推奨デザインテンプレートのデザイン特徴値Ｘ，Ｙを演算する。具体的には、不足テンプレート提供部３６は、デザインテンプレートＡ，Ｂ，Ｃのそれぞれのデザイン特徴値Ｘ（明るさ）の平均値を演算し、その平均値を推奨デザインテンプレートのデザイン特徴値Ｘとして採用する。同様に、不足テンプレート提供部３６は、デザインテンプレートＡ，Ｂ，Ｃのそれぞれのデザイン特徴値Ｙ（印象度）の平均値を演算し、その平均値を推奨デザインテンプレートのデザイン特徴値Ｙとして採用する。このようにして演算されたデザイン特徴値Ｘ，Ｙは、送受信部４０によって提供者用端末装置１００に送信され、提供者用端末装置１００の表示部に表示される。これにより、提供者に、利用者のニーズに合致すると推測される（利用者が興味を示しそうな）デザインテンプレートのデザイン特徴値Ｘ，Ｙが提示される。このデザイン特徴値Ｘ，Ｙは、デザインテンプレートの作成を支援するための情報として利用され得ることになる。なお、デザインテンプレートが新たに作成され、そのデザインテンプレートが提供者用端末装置１００からデザイン管理装置１０に送信されると、テンプレート登録部２４は、そのデザインテンプレートをテンプレート記憶部２２に記憶させる。
【００７０】
推奨テンプレート提供部３４は、領域３００の中心又は重心に配置されたデザインテンプレートを推奨デザインテンプレートとして利用者用端末装置２００に提供してもよい。これにより、利用者によって参照されたデザインテンプレートを基準にして、平均的なデザインの特徴を有するデザインテンプレートが推奨デザインテンプレートとして提供される。領域３００の中心又は重心に配置されたデザインテンプレートが存在しない場合、推奨テンプレート提供部３４は、領域３００内に配置されたデザインテンプレートであって、中心又は重心から最も近い位置に配置されたデザインテンプレートを推奨デザインテンプレートとして利用者用端末装置２００に提供してもよい。または、領域３００の中心又は重心に配置されたデザインテンプレートが存在しない場合、不足テンプレート提供部３６が、領域３００の中心又は重心の位置におけるデザイン特徴値Ｘ，Ｙを演算し、演算されたデザイン特徴値Ｘ，Ｙを推奨デザインテンプレートのデザイン特徴値として提供者用端末装置１００に提供してもよい。これにより、推奨デザインテンプレートのデザイン特徴値が、提供者に提示され得る状態となる。
【００７１】
別の例として、推奨テンプレート提供部３４は、領域３００の大きさが基準値以下の場合に、領域３００内に配置されたデザインテンプレートを推奨デザインテンプレートとして利用者用端末装置２００に提供してもよい。領域３００の大きさが基準値よりも大きくなる場合、推奨テンプレート提供部３４は、推奨デザインテンプレートを利用者用端末装置２００に提供しなくてもよい。基準値は予め定められた値であり、一例として、デザインテンプレートの提供者によって決定された値である。例えば、推奨テンプレート提供部３４は領域３００の面積を演算する。領域３００の面積が基準値（基準面積）以下の場合、推奨テンプレート提供部３４は、領域３００内に配置されたデザインテンプレートを推奨デザインテンプレートとして利用者用端末装置２００に提供する。領域３００の面積が基準値よりも大きい場合、利用者によって参照されたデザインテンプレートのデザインの特徴の傾向が特定されず、領域３００内に配置されたデザインテンプレートが利用者のニーズに合致しているとは限らない。また、領域３００の面積が基準値より大きい場合、領域３００内に含まれるデザインテンプレートの数が多すぎることがある。この場合、領域３００内に含まれるデザインテンプレートを推奨デザインテンプレートとして利用者に提供しても、デザインテンプレートを利用対象として選択する上で、利用者の利便性が向上するとは限らない。それ故、領域３００の面積が基準値よりも大きい場合、推奨デザインテンプレートを提供せず、領域３００の面積が基準値以下の場合に推奨デザインテンプレートを利用者用端末装置２００に提供する。これにより、利用者のニーズに合致すると推測されるデザインテンプレートが提供され、また、デザインテンプレートの選択肢が絞れるため、利用者の利便性が向上し得る。
【００７２】
なお、領域３００が扁平な形状を有している場合、推奨テンプレート提供部３４は、推奨デザインテンプレートを利用者用端末装置２００に提供しなくてもよい。領域３００が扁平な形状を有している場合、利用者によって参照されたデザインテンプレートのデザイン特徴値の傾向が特定されず、領域３００内に配置されたデザインテンプレートを推奨デザインテンプレートとして提供することが適切ではないと推測されるからである。
【００７３】
更に別の例として、推奨テンプレート提供部３４は、領域３００内に配置されたデザインテンプレートの数が基準数以下の場合に、領域３００内に配置されたデザインテンプレートを推奨デザインテンプレートとして利用者用端末装置２００に提供してもよい。領域３００内に配置されたデザインテンプレートの数が基準数よりも多くなる場合、推奨テンプレート提供部３４は、推奨テンプレートを利用者用端末装置２００に提供しなくてもよい。基準数は予め定められた数であり、一例として、デザインテンプレートの提供者によって定められた値である。領域３００内に配置されたデザインテンプレートの数が基準数よりも多くなる場合、領域３００内に含まれるデザインテンプレートを推奨デザインテンプレートとして利用者に提供しても、デザインテンプレートの選択肢が多すぎて、デザインテンプレートの選択が容易になるとは限らない。それ故、領域３００内に配置されたデザインテンプレートの数が基準数よりも多くなる場合、推奨デザインテンプレートを提供せず、その数が基準数以下の場合に推奨デザインテンプレートを利用者用端末装置２００に提供する。これにより、デザインテンプレートの選択肢が絞れるため、利用者の利便性が向上し得る。
【００７４】
更に別の例として、推奨テンプレート提供部３４は、領域３００内に配置されたデザインテンプレートであって、デザインテンプレートＡ，Ｂ，Ｃのそれぞれの配置位置からの距離の総和が最小となる位置（最小位置）に配置されたデザインテンプレートを、推奨デザインテンプレートとして利用者用端末装置２００に提供してもよい。図６に、この処理の具体例を示す。例えば、デザインテンプレートＡ〜Ｋが利用者によって参照され、最終的に利用対象のデザインテンプレートが利用者によって選択されなかったものとする。この場合、推奨テンプレート提供部３４は、デザインテンプレートＡ〜Ｋに囲まれた領域内に配置されたデザインテンプレートであって、デザインテンプレートＡ〜Ｋのそれぞれの配置位置からの距離の総和（＝ＬＡ＋ＬＢ＋・・・＋ＬＪ＋ＬＫ）が最小となる位置に配置されたデザインテンプレートαを、推奨デザインテンプレートとして利用者用端末装置２００に提供する。最小位置に配置されたデザインテンプレートが存在しない場合、推奨テンプレート提供部３４は、最小位置から最も近い位置に配置されたデザインテンプレートを推奨デザインテンプレートとして利用者用端末装置２００に提供してもよい。または、最小位置に配置されたデザインテンプレートが存在しない場合、不足テンプレート提供部３６は、最小位置におけるデザイン特徴値Ｘ，Ｙを推奨デザインテンプレートのデザイン特徴値として提供者用端末装置１００に提供してもよい。
【００７５】
最小位置は、デザインテンプレートＡ〜Ｋのそれぞれの配置位置からの距離の総和が最小となる位置であるため、その最小位置は、利用者によって参照されたデザインテンプレートの密度が低い位置よりも、その密度が高い位置の近くに存在することになる。例えば、デザインテンプレートＡ〜Ｈの配置位置では密度が高くなっており、デザインテンプレートＩ〜Ｋの配置位置では密度が低くなっている。このような場合、最小位置は、デザインテンプレートＩ〜Ｋの配置位置よりも、デザインテンプレートＡ〜Ｈの配置位置の近くに存在することになる。そのため、最小位置に配置されたデザインテンプレートαは、デザインテンプレートＩ〜ＫよりもデザインテンプレートＡ〜Ｈのデザインの特徴がより反映されたものとなる。つまり、デザインテンプレートαは、デザインテンプレートＩ〜ＫよりもデザインテンプレートＡ〜Ｈのデザインの特徴に近い特徴を有することになる。利用者によって参照されたデザインテンプレートの密度が高い位置に配置されたデザインテンプレートＡ〜Ｈは、その密度が低い位置に配置されたデザインテンプレートＩ〜Ｋよりも、利用者のニーズに近いデザインテンプレート群であると推測される。それ故、最小位置に配置されたデザインテンプレートαを利用者用端末装置２００に提供することにより、利用者のニーズに合うと推測されるデザインテンプレートが利用者に提供されることになる。
【００７６】
なお、推奨テンプレート提供部３４は、推奨デザインテンプレートのサムネイル画像やテンプレート識別情報を利用者用端末装置２００に提供してもよい。この場合、推奨デザインテンプレートのサムネイル画像やテンプレート識別情報が、送受信部４０によって利用者用端末装置２００に送信され、利用者用端末装置２００の表示部に表示される。利用者用端末装置２００において、利用者が推奨デザインテンプレートの取得を要求すると、その取得要求を示す情報が利用者用端末装置２００からデザイン管理装置１０に送信される。推奨テンプレート提供部３４は、その取得要求に応じて、推奨デザインテンプレートを利用者用端末装置２００に提供する。これにより、利用者用端末装置２００にて、推奨デザインテンプレートに対する編集が許可された状態となる。
【００７７】
図７に、利用者用端末装置２００の表示部に表示された推奨デザインテンプレートの一例を示す。一例として、推奨デザインテンプレートのサムネイル画像を表示する場合について説明する。例えば、推奨デザインテンプレートのサムネイル画像がデザイン管理装置１０から利用者用端末装置２００に送信されると、利用者用端末装置２００の表示部の画面２１０には、推奨デザインテンプレート用の表示枠２４０が表示され、その表示枠２４０内に、推奨デザインテンプレートのサムネイル画像が表示される。図７に示す例では、２つの推奨デザインテンプレートのサムネイル画像が表示枠２４０内に表示されている。利用者用端末装置２００において、推奨デザインテンプレートのサムネイル画像が利用者によって指定され、表示指示が与えられると、推奨デザインテンプレートのテンプレート識別情報と表示指示を示す情報とが、利用者用端末装置２００からデザイン管理装置１０に送信される。表示制御部２８は、その表示指示に従って、推奨デザインテンプレートを利用者用端末装置２００の表示部に拡大して表示させる。このとき、表示制御部２８は、推奨デザインテンプレートのテンプレート属性情報も、利用者用端末装置２００の表示部に表示させてもよい。表示枠２４０及び推奨デザインテンプレートのサムネイル画像は、例えば、利用者がデザインテンプレートのサムネイル画像を参照しているときや、デザインテンプレートを参照しているときに、画面２１０に表示される。なお、推奨デザインテンプレートのサムネイル画像を利用者用端末装置２００に提供せずに、推奨デザインテンプレートそのものを利用者用端末装置２００に提供して表示させてもよい。
【００７８】
参照履歴管理部３０は、参照履歴テーブルに含まれる情報を提供者用端末装置１００に提供してもよい。例えば、参照履歴テーブルに含まれる情報が、送受信部４０によってデザイン管理装置１０から提供者用端末装置１００に送信され、提供者用端末装置１００の表示部に表示される。一例として、図５に示されている参照履歴テーブルが、提供者用端末装置１００の表示部に表示される。
【００７９】
参照履歴テーブルが提供者用端末装置１００に提供されることにより、以下の情報が、提供者によって把握され得る状態となる。例えば、参照順番によって、利用者によってどのようなデザインテンプレートがどのような順番で参照されたのかが、提供者によって把握され得る状態となる。また、利用対象テンプレートによって、最終的に特定のデザインテンプレートが利用対象として選択されたか否かが提供者によって把握され得る状態となり、また、利用者によってどのようなデザインテンプレートが利用対象として選択されたのかが把握され得る状態となる。また、操作開始日時及び操作終了日時によって、利用時間の長さが提供者によって把握され得る状態となる。例えば、利用対象のデザインテンプレートを選択するのに要した時間の長さが、提供者によって把握され得る状態となる。また、利用者属性によって、どのような職業を有する利用者がどのようなデザインテンプレートに興味を示すのかが、提供者によって把握され得る状態となる。このように、参照履歴を管理することにより、どのようなデザインテンプレートがどのような順番で参照されたのかが特定され、その参照の結果、最終的にどのようなデザインテンプレートが利用対象として選択されたのかが特定され、更に、その選択までに要した時間の長さが特定されることになる。このような参照履歴は、提供者がデザインテンプレートを作成して提供する際の参考資料として利用され得る。そして、提供者が参照履歴を参考にしてデザインテンプレートを作成して提供することにより、利用者のニーズに合うデザインテンプレートが提供され得ることになる。
【００８０】
参照履歴管理部３０は、操作開始日時から操作終了日時までの時間の長さ（利用時間の長さ）が予め定められた基準時間の長さ以上となる参照履歴を抽出し、その参照履歴を示す情報を提供者用端末装置１００に提供してもよい。その参照履歴を示す情報は、送受信部４０によって提供者用端末装置１００に送信され、提供者用端末装置１００の表示部に表示される。利用時間の長さが基準時間の長さ以上となる場合、利用者は熟慮してデザインテンプレートを選択していると推測される。従って、その参照履歴を提供者用端末装置１００に提供することにより、利用者が特に興味を持ったと推測されるデザインテンプレートの情報が提供者に提供される。
【００８１】
参照履歴管理部３０は、提供者によって指定された利用者属性が含まれる参照履歴を提供者用端末装置１００に提供してもよい。例えば、提供者が提供者用端末装置１００を使用して利用者属性を示す情報を入力すると、その利用者属性を示す情報が提供者用端末装置１００からデザイン管理装置１０に送信される。参照履歴管理部３０は、その利用者属性を含む参照履歴を抽出し、その参照履歴を示す情報を提供者用端末装置１００に提供する。この場合、その参照履歴を示す情報は、送受信部４０によって提供者用端末装置１００に送信され、提供者用端末装置１００の表示部に表示される。これにより、特定の職業を有する利用者がどのようなデザインテンプレートに興味を示すのかが、提供者によって把握され得る状態となる。そして、特定の職業の参照履歴は、当該特定の職業向けのデザインテンプレートを作成する際の参考資料として使用され得る。例えば、飲食業向けのデザインテンプレートを作成する場合、飲食業の利用者についての参照履歴を提供者が参照してデザインテンプレートを作成することにより、飲食業の利用者のニーズに合うデザインテンプレートが作成され得ることになる。
【００８２】
また、各デザインテンプレートのテンプレート属性情報にはデザイン特徴値が含まれているため、参照履歴を参照することにより、利用者によって参照されたデザインテンプレートのデザイン特徴値が特定される。換言すると、どのようなデザイン特徴値を有するデザインテンプレートが利用者によって参照されたのかが特定される。従って、参照履歴を提供者用端末装置１００に提供することにより、利用者によって参照されたデザインテンプレートのデザイン特徴値が、提供者によって把握され得る状態となる。これにより、利用者によって参照されたデザインの傾向が提供者によって把握され得る状態となる。
【００８３】
また、参照履歴管理部３０は、利用者によって参照されたデザインテンプレートが、参照されたことが識別される態様で表されたデザイン特徴マップを提供者用端末装置１００に提供してもよい。例えば、参照履歴管理部３０は、図４に示すデザイン特徴マップにおいて、利用者によって参照されたデザインテンプレートＡ，Ｂ，Ｃのみが表されたデザイン特徴マップを提供者用端末装置１００に提供してもよい。または、参照履歴管理部３０は、デザインテンプレートＡ〜Ｆ，αが表されたデザイン特徴マップにおいて、利用者によって参照されたデザインテンプレートＡ，Ｂ，Ｃが他のデザインテンプレートから区別して表示されるようにしてもよい。例えば、参照履歴管理部３０は、デザイン特徴マップにおいて、デザインテンプレートＡ，Ｂ，Ｃを特定の色で表したり、デザインテンプレートＡ，Ｂ，Ｃを線で囲んだりしてもよい。また、参照履歴管理部３０は、デザイン特徴マップにおいて、領域３００を特定の色で表したり、領域３００を線で囲んで表示したりしてもよい。このようなデザイン特徴マップのデータは、送受信部４０によってデザイン管理装置１０から提供者用端末装置１００に送信され、提供者用端末装置１００の表示部に表示される。デザイン特徴マップには、利用者によって参照されたデザインテンプレートが分布しているので、デザイン特徴マップを参照することにより、利用者によって参照されたデザインテンプレートの傾向が直感的に把握しやすくなる。
【符号の説明】
【００８４】
１０  デザイン管理装置、２０  デザイン管理部、２２  テンプレート記憶部、２４  テンプレート登録部、２６  特徴マップ作成部、２８  表示制御部、３０  参照履歴管理部、３２  参照履歴記憶部、３４  推奨テンプレート提供部、３６  不足テンプレート提供部、４０  送受信部、１００  提供者用端末装置、２００  利用者用端末装置。
【図１】
2015225398.tif 000003
【図２】
2015225398.tif 000004
【図３】
2015225398.tif 000005
【図４】
2015225398.tif 000006
【図５】
2015225398.tif 000007
【図６】
2015225398.tif 000008
【図７】
2015225398.tif 000009